【事件の表示】
　特願２００１−３４３７６４「餅用個装包材およびそれを使用した餅個装包装体」拒絶査定不服審判事件〔平成１５年５月２１日出願公開、特開２００３−１４６３８３〕について、次のとおり審決する。
【結　論】
　本件審判の請求は、成り立たない。
【理　由】
　１　手続の経緯
　本願は、平成１３年１１月８日の出願であって、平成２０年３月５日付けで拒絶査定がなされ、これに対し、平成２０年４月１０日に拒絶査定不服審判の請求がなされ、その後、平成２１年１２月２８日付けで当審から拒絶の理由が通知され、平成２２年３月５日付けで明細書を対象とする手続補正がなされたものである。
　
　２　本願発明
　本願の請求項１ないし３に係る発明は、平成２２年３月５日付けの手続補正により補正された明細書及び図面の記載からみて、特許請求の範囲の請求項１ないし３に記載された事項によって特定されるものと認める。その請求項１の記載は次のとおりである（以下、請求項１に係る発明を「本願発明１」という。）。
　「【請求項１】基材フィルムの一方の面に、酸化珪素または酸化アルミニウムからなる無機酸化物の蒸着膜を設け、
次に、上記の酸化珪素または酸化アルミニウムからなる無機酸化物の蒸着膜の上に、プライマー剤層、印刷模様層、および、ラミネート用接着剤層または溶融押出樹脂層を順次に設け、
更に、上記のラミネート用接着剤層または溶融押出樹脂層の上に、ヒートシール性樹脂層を設けて、酸素ガスと水蒸気との透過を阻止するバリア性を有する餅用個装包材を製造し、
次いで、上記の餅用個装包材を使用し、これを製袋して、酸素ガスと水蒸気との透過を阻止するバリア性を有するプラスチック製軟包装用袋からなる餅個装用袋状容器本体を製造し、
しかる後、上記の餅個装用袋状容器本体の一辺の開口部から、切り餅を一個充填し、
次いで、上記の餅個装用袋状容器本体の開口部をヒートシールにより密閉し、個包装して、酸素ガスと水蒸気との透過を阻止するバリア性を有する餅個装包装体を製造し、
次に、上記の餅個装包装体の数個ないし十数個を、鏡餅形状の成型体容器に、その開口部から充填し、
しかる後、上記の鏡餅形状の成型体容器の開口部を底材によりシールしてその開口部を密閉し、餅個装包装体を充填包装した鏡餅包装製品を製造することを特徴とする鏡餅包装製品の製造法。」
　
　３　引用例の記載事項
（１）当審の拒絶の理由に引用した、本願の出願前に頒布された刊行物である実願平４−６１６５３号（実開平７−４３９１１号）のＣＤ−ＲＯＭ（以下、「引用例１」という。）には、次の記載がある。
　「【請求項１】鏡餅形状の中空な成形体に小片状の餅を複数収容したことを特徴とする包装餅。」
　「【０００７】【実施例】…丸く平たい形の餅を二段に重ねたような鏡餅形状の成形体１１は、底板部１２の中央に円形な開口部１３を形成した中空部１４を有する成形体本体１５と、前記開口部１３を閉塞する底シール部１６から構成される。前記成形体本体１５、底シール部１６は白等の着色或いは透明なポリプロピレンなどの合成樹脂からなり、その表面には餅肌のようにエンボス処理して微小な凹凸が成形されている。前記鏡餅形状の成形体１１に複数収納される小片状の餅１７は、通常食する程度の矩形状の断片餅であって、透明或いは白色の合成樹脂製の包装袋１８によって一個づつ包装されている。」
　「【０００８】　…包装袋１８によって予め包装された複数の小片状の餅１７を、成形体本体１５の中空部１４に収納し、そして底板部１２の開口部１３をシート状の底シール部１６によって熱シール等によって閉塞して密封する。…」
　以上の記載及び図１ないし図３によれば、引用例１には、次の発明が記載されているといえる。（以下、「引用発明」という。）
　「餅を一個づつ包装袋に入れて包装し、包装袋に包装された複数の餅を鏡餅形状の成形体本体に、その開口部から収納し、成形体本体の開口部をシート状の底シール部によって熱シール等により閉塞して密封し、包装袋に包装された餅を複数収納した包装餅を製造する方法。」
　
（２）同じく当審の拒絶の理由に引用した、本願の出願前に頒布された刊行物である特開２００１−１６２７１３号公報（以下、「引用例２」という。）には、次の記載がある。
　「【請求項６】ポリアミド系樹脂フィルムの一方の面に、耐水性膜を設け、その他方の面に、化学気相成長法による膜厚４ｎｍ〜１０ｎｍの無機酸化物の蒸着膜を設けた構成からなる透明バリア性フィルムの無機酸化物の蒸着膜の面に、プライマー剤層およびラミネート用接着剤層を介して、少なくとも、ヒートシール性樹脂層を設けたことを特徴とする積層材。
【請求項７】ポリアミド系樹脂フィルムの一方の面に、耐水性膜を設け、その他方の面に、化学気相成長法による膜厚４ｎｍ〜１０ｎｍの無機酸化物の蒸着膜を設けた構成からなる透明バリア性フィルムの無機酸化物の蒸着膜の面に、プライマー剤層およびアンカーコト剤層を介して、少なくとも、ヒートシール性樹脂層を設けたことを特徴とする積層材。」
　「【０００１】【発明の属する技術分野】本発明は、透明バリア性フィルムおよびそれを使用した積層材に関し、更に詳しくは、透明性、酸素・水蒸気等の透過を阻止するバリア性等に優れ、更に、屈曲および伸縮等に対するクラックの発生を防止し、その後加工適性に優れてバリア性の低下を抑制し、かつ、生産ライン速度を上げてその生産効率を向上させ、種々の物品の充填包装…に有用な透明バリア性フィルムおよびそれを使用した積層材に関するものである。」
　「【０００８】因みに、前述のポリアミド系樹脂フィルムの片面に、物理気相成長法あるいは化学気相成長法による酸化珪素、酸化アルミニウム等の無機酸化物の蒸着膜を設けた構成からなる透明バリア性フィルム…」
　「【００１２】…本発明にかかる積層材としては、図２に示すように、上記の図１に示す透明バリア性フィルムＡの無機酸化物の蒸着膜３の面に、プライマー剤層４およびラミネート用接着剤層５を介して、少なくとも、ヒートシール性樹脂層６を設けた構成からなる積層材Ｂを例示することができる。また、本発明においては、図３に示すように、上記の図１に示す透明バリア性フィルムＡの無機酸化物の蒸着膜３の面に、プライマー剤層４およびアンカーコト剤層７を介して、少なくとも、ヒートシール性樹脂層６を設けた構成からなる積層材Ｂ１を例示することができる。……本発明においては、図示しないが、基材フィルム層、ヒートシール性樹脂層等の他に、更に、その使用目的、用途等によって、他の基材を任意に積層して、種々の形態の積層材を設計して製造することができるものである。
【００１３】次に、本発明において、上記のような積層材を使用して製袋…してなる包装用容器の構成についてその一例を例示して説明すると…図４の概略的斜視図に示すように、上記の積層材Ｂ、Ｂを２枚用意し、その最内層に位置するヒートシール性樹脂層６、６の面を対向させて重ね合わせ、しかる後、その外周周辺の端部の三方をヒートシールしてシール部８、８、８を形成すると共に上方に開口部９を設けて、三方シール型の軟包装用容器Ｃを製造することができる。而して、本発明においては、図示しないが、上記で製造した三方シール型の軟包装用容器の開口部から、例えば、飲食品、その他等の内容物を充填し、次いで、上方の開口部をヒートシールして上方のシール部等を形成し…包装製品を製造することができるものである。…」
　「【００２７】……本発明においては、シランカップリング剤が有する無機性と有機性とを利用し、無機酸化物の蒸着膜と、印刷模様層、接着剤層あるいはアンカーコート剤層を介して、ヒートシール性樹脂層との密接着性を向上させ、これにより、そのラミネート強度等を高めるものである。」
　「【００４２】…上記のようにして製造した包装用容器は、種々の飲食品…その他等の物品の充填包装に使用されるものである。而して、本発明においては、特に、例えば、醤油、ソ−ス、ス−プ等を充填包装する液体用小袋、生菓子等を充填包装する軟包装用袋、あるいは、カレ−、シチュ−、ス−
プ、ハンバ−グ、その他等のボイルあるいはレトルト食品等を充填包装する軟包装用袋等の液体飲食物あるいは水分等を含む飲食物等を充填包装する包装用容器として有用なものである。」
　「【００４４】実施例２　（１）…透明バリア性フィルムを製造した。…上記の（１）で製造した透明バリア性フィルムの酸化珪素の蒸着膜のプラズマ処理面に…プライマー剤層を形成した。次いで…アンカーコート剤層を形成した。…アンカーコート剤層面に、直鎖状低密度ポリエチレン樹脂を使用し、これを押出機を用いて溶融押し出しして、厚さ５０μｍの直鎖状低密度ポリエチレン樹脂層を押し出しラミネート積層して、本発明にかかる積層材を製造した。…」
　以上の記載及び図１ないし図４によれば、引用例２には、次の事項が記載されていると認められる。
　・「ポリアミド系樹脂フィルムの一方の面に、耐水性膜を設け、その他方の面に、酸化珪素、酸化アルミニウム等の無機酸化物の蒸着膜を設けた構成からなる透明バリア性フィルムの無機酸化物の蒸着膜の面に、プライマー剤層およびラミネート用接着剤層を介して、少なくとも、ヒートシール性樹脂層を設けた、酸素・水蒸気等の透過を阻止するバリア性等に優れた積層材（Ｂ）。」
　・「ポリアミド系樹脂フィルムの一方の面に、耐水性膜を設け、その他方の面に、酸化珪素、酸化アルミニウム等の無機酸化物の蒸着膜を設けた構成からなる透明バリア性フィルムの無機酸化物の蒸着膜の面に、プライマー剤層およびアンカーコート剤層を介して、少なくとも、溶融押し出ししたヒートシール性樹脂層を設けた、酸素・水蒸気等の透過を阻止するバリア性等に優れた積層材（Ｂ１）。」
　・「積層材（Ｂ、Ｂ１）を使用して製袋し、酸素・水蒸気等の透過を阻止するバリア性等に優れた軟包装用容器を製造し、軟包装用容器の一辺の開口部から、飲食品等の内容物を充填し、次いで、上方の開口部をヒートシールにより密閉し、酸素・水蒸気等の透過を阻止するバリア性等に優れた包装製品を製造する方法。」
　
　４　対比
　本願発明１と引用発明とを対比すると、引用発明の「包装袋」及び「包装餅」は、それぞれ本願発明１の「軟包装用袋からなる餅個装用袋状容器本体」及び「鏡餅包装製品」に相当し、さらに、引用発明の「餅を一個づつ包装袋に入れて包装し」、「包装袋に包装された複数の餅を鏡餅形状の成形体本体に、その開口部から収納し」、「成形体本体の開口部をシート状の底シール部によって熱シール等により閉塞して密封し」及び「包装袋に包装された餅を複数収納した包装餅の製造方法」は、それぞれ本願発明１の「餅個装用袋状容器本体の一辺の開口部から、切り餅を一個充填し、次いで、上記の餅個装用袋状容器本体の開口部を密閉し、個包装して餅個装包装体を製造し」、「餅個装包装体の数個ないし十数個を、鏡餅形状の成型体容器に、その開口部から充填し」、「鏡餅形状の成型体容器の開口部を底材によりシールしてその開口部を密閉し」及び「餅個装包装体を充填包装した鏡餅包装製品を製造する鏡餅包装製品の製造法」に相当する。
　そして、引用発明において、餅を一個づつ包装袋に入れて包装する前に、餅用個装包材を使用して製袋し、包装袋を製造することは、当業者にとって自明のことであるから、両者は、
「餅用個装包材を使用し、これを製袋して軟包装用袋からなる餅個装用袋状容器本体を製造し、
しかる後、上記の餅個装用袋状容器本体の一辺の開口部から、切り餅を一個充填し、次いで、上記の餅個装用袋状容器本体の開口部を密閉し、個包装して餅個装包装体を製造し、
次に、上記の餅個装包装体の数個ないし十数個を、鏡餅形状の成型体容器に、その開口部から充填し、
しかる後、上記の鏡餅形状の成型体容器の開口部を底材によりシールしてその開口部を密閉し、餅個装包装体を充填包装した鏡餅包装製品を製造する鏡餅包装製品の製造法」
である点で一致し、次の点で相違する。
　《相違点１》
　本願発明１では、基材フィルムの一方の面に、酸化珪素または酸化アルミニウムからなる無機酸化物の蒸着膜を設け、次に、上記の酸化珪素または酸化アルミニウムからなる無機酸化物の蒸着膜の上に、プライマー剤層、印刷模様層、および、ラミネート用接着剤層または溶融押出樹脂層を順次に設け、更に、上記のラミネート用接着剤層または溶融押出樹脂層の上に、ヒートシール性樹脂層を設けて、酸素ガスと水蒸気との透過を阻止するバリア性を有する餅用個装包材を製造するのに対して、引用発明では、餅用個装包材の製造について特定していない点。
　《相違点２》
　本願発明１では、プラスチック製軟包装用袋からなる餅個装用袋状容器本体の開口部をヒートシールにより密閉し個包装するのに対して、引用発明では、それについて特定していない点。
　
　５　相違点の検討
　《相違点１について》
　引用例２には、ポリアミド系樹脂フィルムの一方の面に、耐水性膜を設け、その他方の面に、酸化珪素、酸化アルミニウム等の無機酸化物の蒸着膜を設けた構成からなる透明バリア性フィルムの無機酸化物の蒸着膜の面に、プライマー剤層およびラミネート用接着剤層を介して、少なくとも、ヒートシール性樹脂層を設けた、酸素・水蒸気等の透過を阻止するバリア性等に優れた積層材（Ｂ）、が記載されており、上記「ポリアミド系樹脂フィルム」は、本願発明１の「基材フィルム」に相当する。
　さらに、引用例２には、プライマー剤中に添加されるシランカップリング剤に関して、「無機酸化物の蒸着膜と、印刷模様層、接着剤層あるいはアンカーコート剤層を介して、ヒートシール性樹脂層との密接着性を向上させる」（上記段落【００２７】参照。）との記載があり、プライマー剤層と接着剤層との間に印刷模様層を設けることが示唆されている。
　そして、引用例２には、積層材（Ｂ）を使用して製袋し、飲食品等の内容物を充填する、酸素・水蒸気等の透過を阻止するバリア性等に優れた軟包装用容器を製造することが記載されているから、引用発明において、餅用個装包材として、引用例２に記載されている積層材（Ｂ）を採用して、餅個装用袋状容器本体を製造する前に、酸素ガスと水蒸気の透過を阻止するバリア性を有する餅用個装包材を製造するようにし、相違点１に係る本願発明１の事項とすることは、当業者が容易に想到し得たことである。
　《相違点２について》
　引用例２には、積層材（Ｂ）を使用して製袋した、酸素・水蒸気等の透過を阻止するバリア性等に優れた軟包装用容器の一辺の開口部から、飲食品等の内容物を充填し、次いで、上方の開口部をヒートシールして密閉し、酸素・水蒸気等の透過を阻止するバリア性等に優れた包装製品を製造する方法が記載されているから、引用発明における餅個装包装体の製造において、開口部をヒートシールにより密閉して個包装し、相違点２に係る本願発明１の事項とすることは、当業者が容易になし得たことである。
　
　なお、請求人は、平成２２年３月５日付け意見書９頁において、引用例２の「飲食品等の内容物」として段落【００４２】に例示されている中には、「切り餅」が例示されていないから、引用発明と引用例２の記載事項とを組み合わせても、本願発明１を想到することは困難である旨主張している。しかしながら、引用例２の段落【００４２】に例示されている「生菓子等を充填包装する軟包装用袋」との記載等から、この軟包装用袋に充填する食品として「切り餅」を選択することに阻害要件がないことは、当業者にとって明らかであり、引用発明と引用例２の記載事項に接した当業者であれば、引用発明の餅を一個づつ包装袋に入れるための包装袋として、引用例２に記載の軟包装用袋を採用し得ることは、直ちに想到し得たことである。請求人の上記主張は、請求人独自の見解であって、通常の技術知識とは異なるものであるから、採用することができない。
　
　そして、本願発明１が奏する効果も、引用発明及び引用例２の記載事項から当業者が予測し得たものであって、格別顕著なものとはいえない。
　したがって、本願発明１は、引用発明及び引用例２記載の発明に基いて、当業者が容易に発明をすることができたものである。
　
　６　むすび
　以上のとおり、本願発明１は、特許法第２９条第２項の規定により特許を受けることができないものであるから、他の請求項に係る発明について検討するまでもなく、本願は拒絶されるべきものである。
　よって、結論のとおり審決する。